(57)【要約】【課題】シート状の接続対象物を容易に且つ円滑に挿入することができるコネクタを提供する。【解決手段】接続対象物７１の接続端部７２を搭載基板６１の表面に沿わせつつ、ハウジング２の前方開口部２１へ向けて移動させると、接続端部７２は、搭載基板６１の表面から複数の半田パッド６２上の複数の半田フィレット６５の表面およびこれら複数の半田フィレット６５の表面にそれぞれ接続された複数の第１のコンタクト４１の傾斜面５４に誘導されて、第１のコンタクト４１の傾斜面５４の上部に至り、さらに、複数の第１のコンタクト４１の傾斜面５４に滑らかに連続しているハウジング２の傾斜部２４に沿って挿入部２３に挿入される。【選択図】図７
2014086193.tif 000002
【特許請求の範囲】
【請求項１】
搭載基板の表面上に搭載されると共にシート状の接続対象物の接続端部が挿入されるコネクタにおいて、
前記接続対象物の接続端部を挿入するための挿入部が形成されたハウジングと、
それぞれ前記接続対象物の挿入方向に延びると共に前記接続対象物の挿入方向に対して交差する方向に沿って配列されるように前記ハウジングに保持された複数のコンタクトと
を備え、前記接続対象物の挿入側で前記搭載基板の表面上に半田実装されるすべての前記コンタクトが、前記接続対象物の挿入側の端部に、前記搭載基板の表面上に実装される平面状の被実装面を有すると共に、前記接続対象物の接続端部を前記挿入部に誘導するための、前記被実装面に対して９０度よりも小さい所定の角度で傾斜する傾斜面を有することを特徴とするコネクタ。
【請求項２】
前記接続対象物の挿入側における前記傾斜面の先端部が、前記被実装面から高さ０．１ｍｍの範囲内で、前記被実装面に対して前記所定の角度よりも大きな傾斜角を有するように切り欠かれた切り欠き部を有する請求項１に記載のコネクタ。
【請求項３】
前記傾斜面は、前記被実装面に対して前記所定の角度で接続される請求項１に記載のコネクタ。
【請求項４】
前記傾斜面は、前記コンタクトの前記被実装面を前記搭載基板の表面上に半田実装したときに前記傾斜面の中間部から前記搭載基板の表面にわたって形成される半田フィレットの表面と滑らかに接続される請求項１〜３のいずれか一項に記載のコネクタ。
【請求項５】
前記ハウジングは、前記コンタクトの前記傾斜面に滑らかに連続すると共に前記挿入部の入口に接続される傾斜部を有する請求項１〜４のいずれか一項に記載のコネクタ。
【発明の詳細な説明】
【技術分野】
【０００１】
この発明は、コネクタに係り、特に、ＦＰＣ（フレキシブルプリント回路）およびＦＦＣ（フレキシブルフラットケーブル）等のシート状の接続対象物の接続を行うコネクタに関する。
【背景技術】
【０００２】
この種のコネクタとして、例えば、特許文献１には、図９に示されるようなコネクタ８１が開示されている。コネクタ８１は、搭載基板８２上に固定され、ハウジング８３の凹状の挿入部８４にシート状の接続対象物８５の接続端部が挿入した状態で、アクチュエータ８６を回転させることにより、接続対象物８５に形成されている複数の接続端子とコネクタ８１の複数のコンタクト８７とがそれぞれ電気的に接続されると共に接続対象物８５がコネクタ８１に保持される。
【０００３】
しかし、挿入部８４の下部にハウジング８３の底板部分が位置し、この底板部分の上に挿入部８４が形成されているため、接続対象物８５をコネクタ８１の挿入部８４に挿入させるためには、接続対象物８５の接続端部を挿入部８４の高さとなるように搭載基板８２の表面から所定高さだけ浮かした状態で挿入部８４に向かって移動させなくてはならず、接続対象物８５の挿入作業を円滑に行うことが困難であった。仮に、接続対象物８５を搭載基板８２の表面に沿わせてコネクタ８１に挿入しようとすると、接続対象物８５の接続端部がハウジング８３の底板部分に突き当たって、挿入が阻止されてしまう。
特に、多芯数になるほど、シート状の接続対象物８５の横幅が大きくなり、接続対象物８５に撓みが発生しやすくなるので、接続対象物８５の挿入作業は難しく、手間のかかるものであった。
【０００４】
これに対して、特許文献２に開示されたコネクタ８８では、図１０（Ａ）に示されるように、接続対象物８９が挿入される挿入部９０の入口付近の下部において、複数のコンタクト９１のそれぞれが搭載基板９２の半田パッド９３上に半田実装される。このため、挿入部９０の下部がハウジング９４の底板部分で占められることはないが、コンタクト９１は、挿入部９０の入口の下部に搭載基板９２の表面に対してほぼ直交する垂直端部９５を有するので、図９に示したコネクタ８１と同様に、接続対象物８９の接続端部を挿入部９０の高さとなるように搭載基板９２の表面から所定高さだけ浮かした状態で接続対象物８９を移動させる必要があった。仮に、接続対象物８９を搭載基板９２の表面に沿わせてコネクタ８８に挿入しようとすると、接続対象物８９の接続端部がコンタクト９１の垂直端部９５に突き当たり、挿入が阻止されてしまう。
【０００５】
また、コネクタ８８には、図１０（Ｂ）に示されるように、挿入部９０の入口の両側端部において、ハウジング９４に、それぞれ接続対象物８９の挿入をガイドする傾斜部９６が形成されている。
しかしながら、接続対象物８９の接続端部の両側端をそれぞれ対応する傾斜部９６上に位置させて接続対象物８９を挿入しなければならず、仮に、接続対象物８９をコネクタ８８に対して斜め方向から挿入したために、接続対象物８９の接続端部の両側端のうち一方のみがハウジング９４の傾斜部９６上に位置した状態で接続対象物８９を挿入した場合には、他方の側端側において、接続対象物８９の接続端部がコンタクト９１の垂直端部９５に突き当たり、接続対象物８９を挿入部９０に正常に挿入することができなくなる。
【０００６】
また、ハウジング９４は、一般に電気絶縁性を有する樹脂材料を成形することで作製されるが、製造技術上、先端が鋭く尖った形状を形成することは困難であり、図１０（Ａ）および（Ｂ）に示されるように、傾斜部９６の先端に搭載基板９２の表面に直交する小さな垂直端部９７が形成されている。このため、接続対象物８９を搭載基板９２の表面に沿わせてコネクタ８８に挿入しようとすると、接続対象物８９の接続端部の両側端がハウジング９４の垂直端部９７に突き当たることとなる。
【０００７】
なお、それぞれのコンタクト９１を搭載基板９２の対応する半田パッド９３上に半田付けすると、通常、半田フィレットが形成されて、半田パッド９３の表面からコンタクト９１にかけて半田フィレットの表面による斜面部が形成されるが、この斜面部によりそれぞれのコンタクト９１の垂直端部９５が覆われる保証はなく、複数のコンタクト９１のうち１つでも垂直端部９５が露出すると、この垂直端部９５に突き当たるために、接続対象物８９を円滑に挿入することができなくなる。
【先行技術文献】
【特許文献】
【０００８】
【特許文献１】特開２００７−１２２８９４号公報
【特許文献２】特開２０１１−１８１２１０号公報
【発明の概要】
【発明が解決しようとする課題】
【０００９】
このように、従来のコネクタでは、シート状の接続対象物を円滑に挿入することが困難である、という問題があった。
この発明は、このような従来の問題点を解消するためになされたもので、シート状の接続対象物を容易に且つ円滑に挿入することができるコネクタを提供することを目的とする。
【課題を解決するための手段】
【００１０】
この発明に係るコネクタは、搭載基板の表面上に搭載されると共にシート状の接続対象物の接続端部が挿入されるコネクタにおいて、接続対象物の接続端部を挿入するための挿入部が形成されたハウジングと、それぞれ接続対象物の挿入方向に延びると共に接続対象物の挿入方向に対して交差する方向に沿って配列されるようにハウジングに保持された複数のコンタクトとを備え、接続対象物の挿入側で搭載基板の表面上に半田実装されるすべてのコンタクトが、接続対象物の挿入側の端部に、前記搭載基板の表面上に実装される平面状の被実装面を有すると共に、接続対象物の接続端部を挿入部に誘導するための、前記被実装面に対して９０度よりも小さい所定の角度で傾斜する傾斜面を有するものである。
【００１１】
接続対象物の挿入側における傾斜面の先端部は、被実装面から高さ０．１ｍｍの範囲内で、被実装面に対して前記所定の角度よりも大きな傾斜角を有するように切り欠かれた切り欠き部を有していてもよい。あるいは、傾斜面は、被実装面に対して前記所定の角度で接続されていてもよい。
また、傾斜面は、コンタクトの被実装面を搭載基板の表面上に半田実装したときに傾斜面の中間部から搭載基板の表面にわたって形成される半田フィレットの表面と滑らかに接続されることが好ましい。
さらに、ハウジングは、コンタクトの傾斜面に滑らかに連続すると共に挿入部の入口に接続される傾斜部を有するように構成することができる。
【発明の効果】
【００１２】
この発明によれば、接続対象物の挿入側で搭載基板の表面上に半田実装されるすべてのコンタクトが、接続対象物の挿入側の端部に、接続対象物の接続端部を挿入部に誘導するための傾斜面を有するので、シート状の接続対象物を搭載基板の表面に沿わせて移動させることで、接続対象物を容易に且つ円滑に挿入部に挿入することが可能となる。
【図面の簡単な説明】
【００１３】
【図１】この発明の実施の形態１に係るコネクタを示し、（Ａ）は平面図、（Ｂ）は正面図、（Ｃ）は側面図、（Ｄ）は斜視図である。
【図２】図１（Ａ）のＡ−Ａ線断面図である。
【図３】実施の形態１のコネクタに用いられた第１のコンタクトを示し、（Ａ）は側面図、（Ｂ）は斜視図である。
【図４】実施の形態１のコネクタに用いられた第１のコンタクトの前端部を示す部分拡大図である。
【図５】実施の形態１に係るコネクタが実装基板上に実装された状態を示す断面図である。
【図６】実装基板上に実装された実施の形態１のコネクタにおける第１のコンタクトの前端部を示す部分拡大断面図である。
【図７】実施の形態１のコネクタに接続対象物を挿入する動作を段階的に示す断面図である。
【図８】実装基板上に実装された実施の形態２のコネクタにおける第１のコンタクトの前端部を示す部分拡大断面図である。
【図９】従来のコネクタを示す断面図である。
【図１０】従来の他のコネクタを示し、（Ａ）は断面図、（Ｂ）は斜視図である。
【発明を実施するための形態】
【００１４】
実施の形態１
以下、この発明の実施の形態１を添付図面に基づいて説明する。
図１に、実施の形態１に係るコネクタ１の構成を示す。このコネクタ１は、ＦＰＣ（フレキシブルプリント回路）およびＦＦＣ（フレキシブルフラットケーブル）等のシート状の接続対象物の接続を行う小型のコネクタであり、ハウジング２と、ハウジング２に回転操作可能に取り付けられたアクチュエータ３と、ハウジング２に固定された複数のコンタクト４を備えている。
【００１５】
ハウジング２は、前方に向かって開口された前方開口部２１と、後方に向かって開口された後方開口部２２を有している。後方開口部２２は、上方にも開放されており、アクチュエータ３は、後方開口部２２の上方を開放する開位置と後方開口部２２の上方を覆う閉位置との間で回転するように、ハウジング２に取り付けられている。図１では、アクチュエータ３が開位置に位置する状態、すなわち、ハウジング２の後方開口部２２の上方を開放した状態が示されている。
アクチュエータ３を閉位置に回転してハウジング２の後方開口部２２の上方をアクチュエータ３で覆うと、ハウジング２とアクチュエータ３は、併せて、薄型のほぼ直方体形状の外形を有する。
【００１６】
ハウジング２の内部には、それぞれ前方開口部２１から後方開口部２２まで貫通する、互いに平行な複数のスリットが形成され、これら複数のスリットにそれぞれ対応するコンタクト４が圧入され固定されている。複数のコンタクト４は、それぞれハウジング２の前方開口部２１から後方開口部２２へ向かう前後方向に延び、この前後方向に直交するハウジング２の幅方向に配列されている。
また、複数のコンタクト４は、前端部がハウジング２の前方開口部２１から露出するように、配列ピッチＰ１で配列された複数の第１のコンタクト４１と、それぞれ後端部がハウジング２の後方開口部２２から露出するように、第１のコンタクト４１の配列ピッチＰ１と同じピッチＰ１で配列された複数の第２のコンタクト４２とを含んでおり、第１のコンタクト４１と第２のコンタクト４２が交互に配列ピッチＰ２＝Ｐ１／２で配置されている。
【００１７】
図２に示されるように、第１のコンタクト４１の前端部４３は、ハウジング２の前方開口部２１の下部から前方へ突出しており、この前端部４３の下端に平面状の被実装面４４が形成されている。
一方、第２のコンタクト４２の後端部４５は、ハウジング２の後方開口部２２の下部から後方へ突出しており、この後端部４５の下端に平面状の被実装面４６が形成されている。
【００１８】
第１のコンタクト４１は、導電性を有する金属製の平板部材から形成され、図３（Ａ）および（Ｂ）に示されるように、ハウジング２の対応するスリット内に圧入されることで固定されるハウジング固定部４７と、ハウジング固定部４７から前端部４３にまで延びる伸張部４８を有している。さらに、第１のコンタクト４１は、伸張部４８とほぼ平行に伸びる上腕部４９および下腕部５０を有し、上腕部４９の中間部分が連結部５１を介して伸張部４８に接続されると共に、下腕部５０の付け根部分が伸張部４８に接続されている。上腕部４９および下腕部５０の先端には、それぞれ互いに対向するように接点部５２および５３が形成されている。
【００１９】
さらに、図４に示されるように、第１のコンタクト４１の前端部４３には、被実装面４４に対して所定の角度Ｃで傾斜しながら、第１のコンタクト４１の前方を向いた傾斜面５４が形成されている。この傾斜面５４は、コネクタ１に接続対象物を挿入する際に、接続対象物の接続端部をハウジング２内に誘導するためのものである。
また、傾斜面５４の先端部に、被実装面４４から高さＨ１の範囲で切り欠かれた切り欠き部５５が形成されている。切り欠き部５５は、傾斜面５４の所定の角度Ｃよりも大きな傾斜角を有するように切り欠かれており、切り欠き部５５の高さＨ１は、被実装面４４を搭載基板の半田パッド上に半田実装したときに形成される半田フィレットの中に切り欠き部５５が十分に埋没されるように、０．１ｍｍ以内に設定されている。このような切り欠き部５５を有することにより、傾斜面５４の先端部にバリを発生させることなく、金属板のプレス型抜き加工で第１のコンタクト４１を作製することができる。
なお、第１のコンタクト４１は、例えば、厚さ０．０８ｍｍ、前端部４３の高さＨ２＝０．２５ｍｍ程度のサイズに形成される。
【００２０】
図２に示される第２のコンタクト４２も、第１のコンタクト４１と同様に、導電性を有する金属製の平板部材から形成され、上腕部の先端に形成された接点部５６と下腕部の先端に形成された接点部５７を有しているが、第２のコンタクト４２の前端部は第１のコンタクト４１の前端部よりも後方、すなわち、後方開口部２２側に引っ込んでおり、第１のコンタクト４１のような傾斜面５４および切り欠き部５５は形成されていない。
【００２１】
このような第１のコンタクト４１および第２のコンタクト４２がハウジング２内に保持される。ハウジング２の内部には、図２に示されるように、前方開口部２１に連なった奥には、接続対象物の接続端部を挿入するための凹状の挿入部２３が形成されており、第１のコンタクト４１の接点部５２と第２のコンタクト４２の接点部５６が挿入部２３の天井部から挿入部２３内に突出し、第１のコンタクト４１の接点部５３と第２のコンタクト４２の接点部５７が挿入部２３の底部から挿入部２３内に突出するように配置されている。
【００２２】
そして、アクチュエータ３を、後方開口部２２の上方を開放する開位置から後方開口部２２の上方を覆う閉位置へ回転させると、アクチュエータ３に形成されているカム部３１の作用により、第１のコンタクト４１の上腕部４９および第２のコンタクト４２の上腕部が応力を受け、これら上腕部の先端に形成された接点部５２および５６がそれぞれ対向する下腕部の接点部５３および５７に接近するように構成されている。
また、ハウジング２には、第１のコンタクト４１の傾斜面５４に滑らかに連続すると共に挿入部２３の入口に接続される傾斜部２４が形成されている。
【００２３】
このような構成を有する実施の形態１のコネクタ１を搭載基板６１の表面上に搭載した状態を図５に示す。
搭載基板６１の表面には、コネクタ１の複数の第１のコンタクト４１の前端部４３にそれぞれ対応した複数の半田パッド６２と、複数の第２のコンタクト４２の後端部４５にそれぞれ対応した複数の半田パッド６３とが配列形成されており、それぞれの第１のコンタクト４１の被実装面４４が対応する半田パッド６２に半田付けされると共に、それぞれの第２のコンタクト４２の被実装面４６が対応する半田パッド６３に半田付けされ、これにより、コネクタ１が搭載基板６１の表面上に実装される。
【００２４】
複数の第１のコンタクト４１の被実装面４４と複数の第２のコンタクト４２の被実装面４６は、例えば、リフロー方式により同時に対応する半田パッド６２および６３に半田実装されるが、このとき、図６に示されるように、実装に用いられる半田６４に、第１のコンタクト４１の傾斜面５４の中間部から搭載基板６１の半田パッド６２の表面にわたって半田フィレット６５が形成される。第１のコンタクト４１の被実装面４４から０．１ｍｍ以内の高さＨ１の範囲で切り欠かれた切り欠き部５５は、半田６４の中に埋没し、第１のコンタクト４１の傾斜面５４は、半田フィレット６５の表面と滑らかに接続し、さらに、半田フィレット６５の表面が搭載基板６１の表面に滑らかに接続する。
【００２５】
このような半田フィレット６５が、すべての第１のコンタクト４１の実装部にそれぞれ形成され、半田フィレット６５、第１のコンタクト４１の傾斜面５４およびハウジング２の傾斜部２４によって、搭載基板６１の表面からハウジング２の挿入部２３の入口に至る、接続対象物のための誘導路が形成される。
【００２６】
次に、コネクタ１に接続対象物を接続する動作について説明する。
まず、図７（Ａ）に示されるように、アクチュエータ３を後方開口部２２の上方を開放する開位置に位置させた状態で、ＦＰＣおよびＦＦＣ等のシート状の接続対象物７１の接続端部７２を搭載基板６１の表面に沿わせつつ、ハウジング２の前方開口部２１へ向けて移動させる。
ハウジング２の前方開口部２１の下部には、複数の第１のコンタクト４１の前端部４３が接続対象物７１の移動方向に対向するように突出しているが、上述したように、搭載基板６１の表面に半田フィレット６５の表面が滑らかに接続されると共に、半田フィレット６５の表面に第１のコンタクト４１の前端部４３の傾斜面５４が滑らかに接続されている。
【００２７】
このため、接続対象物７１の接続端部７２は、ハウジング２の前方開口部２１の下部に至ると、図７（Ｂ）に示されるように、搭載基板６１の表面から複数の半田パッド６２上の複数の半田フィレット６５の表面およびこれら複数の半田フィレット６５の表面にそれぞれ接続された複数の第１のコンタクト４１の傾斜面５４に誘導されて、第１のコンタクト４１の傾斜面５４の上部にまで滑らかに持ち上げられる。
さらに、複数の第１のコンタクト４１の傾斜面５４には、ハウジング２の傾斜部２４が滑らかに連続しているので、接続対象物７１の移動を進めると、接続対象物７１の接続端部７２は、第１のコンタクト４１の傾斜面５４の上部からハウジング２の傾斜部２４を介して挿入部２３の入口に入り、図７（Ｃ）に示されるように、挿入部２３の奥部にまで挿入されることとなる。
【００２８】
ここで、アクチュエータ３を、後方開口部２２の上方を開放する開位置から後方開口部２２の上方を覆う閉位置へ回転させることにより、アクチュエータ３のカム部３１の作用で、第１のコンタクト４１の接点部５２および５３の間隔並びに第２のコンタクト４２の接点部５６および５７の間隔が狭まり、これらの接点部がそれぞれ接続対象物７１の対応する接続端子に電気的に接続されると共に、接続対象物７１がコネクタ１に保持される。
このように、接続対象物７１の挿入側で搭載基板６１の半田パッド６２に半田実装されるすべての第１のコンタクト４１が、接続対象物７１の挿入側の前端部４３に傾斜面５４を有し、この傾斜面５４の下半部に半田フィレット６５の表面が滑らかに接続されると共に傾斜面５４の上部にハウジング２の傾斜部２４が滑らかに連続しているので、接続対象物７１の接続端部７２を搭載基板６１の表面に沿わせてハウジング２の前方開口部２１へ向けて移動させるだけで、極めて容易に且つ円滑に接続対象物７１をコネクタ１の挿入部２３に挿入して、電気的な接続を行わせることが可能となる。
【００２９】
複数の第１のコンタクト４１のそれぞれが、傾斜面５４を有すると共に、傾斜面５４に半田フィレット６５の表面が滑らかに接続されているので、多芯数を有するために接続対象物７１の横幅が大きくなっても、接続対象物７１は撓むことなく円滑にコネクタ１の挿入部２３に挿入され、また、接続対象物７１をコネクタ１に対して斜め方向から挿入したとしても、接続対象物７１の接続端部７２が複数の第１のコンタクト４１の傾斜面５４および半田フィレット６５により誘導されるので、接続対象物７１は、円滑にコネクタ１の挿入部２３に挿入されることとなる。
【００３０】
なお、第１のコンタクト４１の傾斜面５４にハウジング２の傾斜部２４が滑らかに連続していたが、第１のコンタクト４１の傾斜面５４によって接続対象物７１の接続端部７２が十分に挿入部２３の入口にまで誘導される場合には、ハウジング２に傾斜部２４を形成する必要はない。
【００３１】
実施の形態２
上記の実施の形態１では、金属板のプレス型抜き加工で第１のコンタクト４１を作製する際にバリの発生を防止するため、第１のコンタクト４１の傾斜面５４の先端部に、０．１ｍｍ以内の高さＨ１の範囲で切り欠かれた切り欠き部５５が形成されていたが、バリが発生しないように第１のコンタクト４１を作製することができれば、切り欠き部５５を有していなくてもよい。
例えば、図８に示されるように、第１のコンタクト４１Ａの前端部４３Ａの傾斜面５４Ａが、前端部４３Ａの下端に形成された平面状の被実装面４４Ａに対して所定の角度Ｃで接続されるように形成される。
【００３２】
このようにしても、第１のコンタクト４１Ａの被実装面４４Ａを半田パッド６２に半田実装したときに、実装に用いられる半田６４に、傾斜面５４Ａの中間部から搭載基板６１の半田パッド６２の表面にわたって半田フィレット６５が形成され、傾斜面５４Ａに滑らかに接続される。このため、実施の形態１と同様に、接続対象物７１の接続端部７２を搭載基板６１の表面に沿わせて移動させるだけで、極めて容易に且つ円滑に接続対象物７１をコネクタの挿入部に挿入することができる。
【００３３】
この実施の形態２においては、第１のコンタクト４１Ａの傾斜面５４Ａと被実装面４４Ａとが所定の角度Ｃで接続されるので、仮に、傾斜面５４Ａの中間部から搭載基板６１の半田パッド６２の表面にわたって半田フィレット６５が形成されなくても、接続対象物７１の接続端部７２を搭載基板６１の表面に沿わせて移動させるだけで、円滑に接続対象物７１をコネクタの挿入部に挿入することが可能となる。
【００３４】
なお、接続対象物７１として、シート状のフレキシブルなＦＰＣおよびＦＦＣ等を用いたが、これに限るものではなく、シート状のリジッドな接続対象物に対しても、同様にして、接続対象物の接続端部を搭載基板の表面に沿わせて移動させるだけで、容易に且つ円滑に接続対象物をコネクタの挿入部に挿入することができる。
また、この発明は、図１に示したようなアクチュエータ３を利用して接続対象物を保持する、いわゆる、ＺＩＦ（zero insertion force）タイプのコネクタおよびＬＩＦ（low insertion force）タイプのコネクタの他、アクチュエータを用いないＮＯＮ−ＺＩＦタイプのコネクタ等、接続対象物の接続端部を挿入部に挿入する形式の各種のコネクタに適用することもできる。
【符号の説明】
【００３５】
１  コネクタ、２  ハウジング、３  アクチュエータ、４  コンタクト、２１  前方開口部、２２  後方開口部、２３  挿入部、２４  傾斜部、３１  カム部、４１，４１Ａ  第１のコンタクト、４２  第２のコンタクト、４３，４３Ａ  前端部、４４，４４Ａ  被実装面、４５  後端部、４６  被実装面、ハウジング固定部、４８  伸張部、４９  上腕部、５０  下腕部、５１  連結部、５２，５３，５６，５７  接点部、５４，５４Ａ  傾斜面、５５  切り欠き部、６１  搭載基板、６２，６３  半田パッド、６４  半田、６５  半田フィレット、７１  接続対象物、７２  接続端部、８１，８８  コネクタ、８２，９２  搭載基板、８３，９４  ハウジング、８４，９０  挿入部、８５，８９  接続対象物、８６  アクチュエータ、８７，９１  コンタクト、９３  半田パッド、９５  垂直端部、９６  傾斜部、９７  垂直端部、Ｐ１  第１のコンタクト間および第２のコンタクト間の配列ピッチ、Ｐ２  第１のコンタクトと第２のコンタクトの間の配列ピッチ、Ｃ  所定の角度、Ｈ１  切り欠き部の高さ、Ｈ２  前端部の高さ。
【図１】
2014086193.tif 000003
【図２】
2014086193.tif 000004
【図３】
2014086193.tif 000005
【図４】
2014086193.tif 000006
【図５】
2014086193.tif 000007
【図６】
2014086193.tif 000008
【図７】
2014086193.tif 000009
【図８】
2014086193.tif 000010
【図９】
2014086193.tif 000011
【図１０】
2014086193.tif 000012